(57)【要約】【課題】１枚のシート本体であっても、複数の返信を行うことが可能な返信物付き印刷物を提供する。【解決手段】シート本体からの取り外しが可能な返信物領域を有する封筒付きチラシ１であって、返信物領域となる封筒領域３Ａ，３Ｂは、シート本体２に繋がって複数、設けられる。また、シート本体には、封筒領域に封入する申込書領域２１Ａ，２１Ｂが封筒領域３Ａ，３Ｂと同じ数だけ設けられている。さらに、複数の封筒領域は、シート本体の片側に並んで設けられる。【選択図】図１
2020049927.tif 000002
【特許請求の範囲】
【請求項１】
シート本体からの取り外しが可能な返信物領域を有する返信物付き印刷物であって、
前記返信物領域は、前記シート本体に繋がって複数、設けられることを特徴とする返信物付き印刷物。
【請求項２】
前記返信物領域は、封筒が形成される封筒領域であるとともに、
前記シート本体には、前記封筒領域に封入する申込書領域が前記封筒領域と同じ数だけ設けられていることを特徴とする請求項１に記載の返信物付き印刷物。
【請求項３】
前記返信物領域は、はがきが形成されるはがき領域であることを特徴とする請求項１に記載の返信物付き印刷物。
【請求項４】
複数の前記返信物領域は、前記シート本体の片側に並んで設けられることを特徴とする請求項１乃至３のいずれか１項に記載の返信物付き印刷物。
【請求項５】
複数の前記返信物領域は、前記シート本体の両側にそれぞれ設けられることを特徴とする請求項１乃至３のいずれか１項に記載の返信物付き印刷物。
【請求項６】
複数の前記返信物領域は、複数のページを形成する前記シート本体のそれぞれに設けられることを特徴とする請求項１乃至３のいずれか１項に記載の返信物付き印刷物。
【請求項７】
複数の前記返信物領域は、前記シート本体の中間部に設けられることを特徴とする請求項１乃至３のいずれか１項に記載の返信物付き印刷物。
【発明の詳細な説明】
【技術分野】
【０００１】
本発明は、各種申し込みや広告などのために配布される返信を必要とするリーフレット又は雑誌や本の綴込みなどに使用される、封筒やはがきなどの返信物用の領域が設けられた返信物付き印刷物に関するものである。
【背景技術】
【０００２】
特許文献１，２に開示されているように、住所変更届、講座の申込書、アンケートなどの返信が必要な書類を配布する際に、記入方法の説明や宛先などの返信情報に関する記載だけでなく、返信用の封書用紙やはがきを一体にして配布することが知られている。
【０００３】
例えば特許文献１に開示された封書用紙付き帳票は、シートの左半分が封筒となる封書領域となっており、右半分は記入方法に関する説明などの情報が記載される領域となっている。また、特許文献２には、広告用チラシやアンケート用紙などの印刷用紙の右下欄に、返信用のはがき部又は封書部が設けられた印刷物が開示されている。
【先行技術文献】
【特許文献】
【０００４】
【特許文献１】特開２０１０−１２７０１号公報
【特許文献２】特開２００６−７６０７１号公報
【発明の概要】
【発明が解決しようとする課題】
【０００５】
しかしながら特許文献１，２に開示された封書用紙付き帳票等は、返信用の封筒やはがきが、１枚のシートに１通しかついていない。ところが、リーフレット（チラシ）に書かれている内容が気に入って、同じ申し込みを知人などと一緒に行いたい場合や、複数の宛先に返信書類を送りたい場合などは、同じ内容のチラシを何枚も確保しなければならなくなる。
【０００６】
そこで、本発明は、１枚のシート本体であっても、複数の返信を行うことが可能な返信物付き印刷物を提供することを目的としている。
【課題を解決するための手段】
【０００７】
前記目的を達成するために、本発明の返信物付き印刷物は、シート本体からの取り外しが可能な返信物領域を有する返信物付き印刷物であって、前記返信物領域は、前記シート本体に繋がって複数、設けられることを特徴とする。
【０００８】
ここで、前記返信物領域は、封筒が形成される封筒領域であるとともに、前記シート本体には、前記封筒領域に封入する申込書領域が前記封筒領域と同じ数だけ設けられている構成とすることができる。また、前記返信物領域は、はがきが形成されるはがき領域であってもよい。
【０００９】
さらに、複数の前記返信物領域は、前記シート本体の片側に並んで設けられる構成とすることができる。また、複数の前記返信物領域は、前記シート本体の両側にそれぞれ設けられる構成とすることもできる。
【００１０】
また、複数の前記返信物領域は、複数のページを形成する前記シート本体のそれぞれに設けられる構成とすることができる。さらに、複数の前記返信物領域は、前記シート本体の中間部に設けられる構成とすることもできる。
【発明の効果】
【００１１】
このように構成された本発明の返信物付き印刷物は、シート本体からの取り外しが可能な返信物領域が、シート本体に繋がって複数、設けられている。このため、同じ申し込みを知人などと一緒に行いたい場合や、複数の宛先に返信書類を送りたい場合などに、１枚の返信物付き印刷物を確保しておくだけで、複数の返信を行うことができる。
【００１２】
また、返信物領域が封筒領域である場合は、同じ内容の申込書領域を複数設けたり、異なる内容の申込書領域を設けたりして、それぞれ記入された申込書をそれぞれ封筒に封入して返信することが簡単にできる。また、このような返信物領域は、はがきが形成されるはがき領域であってもよい。
【図面の簡単な説明】
【００１３】
【図１】本発明の実施の形態の封筒付きチラシの構成を示した説明図である。
【図２】封筒付きチラシの第１面の構成を説明する展開図である。
【図３】封筒付きチラシの第２面の構成を説明する展開図である。
【図４】封筒付きチラシから１通の封筒を切り離した状態を示した説明図である。
【図５】封筒付きチラシから切り離された申込書を封筒に封入する手順を示した説明図である。
【図６】実施例１の封筒付きチラシの構成を示した説明図である。
【図７】実施例２のはがき付きチラシの構成を示した説明図である。
【図８】実施例３の封筒付きチラシの構成を説明する展開図である。
【図９】実施例３の封筒付きチラシの構成を示した説明図である。
【図１０】実施例４の封筒付きチラシの構成を説明する斜視図である。
【図１１】実施例４の別の封筒付きチラシの構成を説明する図であって、（ａ）は外側のシート本体の展開図、（ｂ）は内側のシート本体の展開図である。
【図１２】実施例５の封筒付きチラシの構成を説明する展開図である。
【図１３】実施例５の封筒付きチラシの構成を示した説明図である。
【図１４】実施例６の封筒付きチラシの構成を説明する展開図である。
【図１５】実施例６の封筒付きチラシの構成を示した説明図である。
【発明を実施するための形態】
【００１４】
以下、本発明の実施の形態について図面を参照して説明する。図１は、本実施の形態の返信物付き印刷物としての封筒付きチラシ１の構成を示した説明図である。また、図２，図３は、封筒付きチラシ１の構成を説明する展開図であって、図２は第１面を示し、図３は第１面の裏側となる第２面を示している。
【００１５】
この封筒付きチラシ１は、図１に示すように、シート本体２と、そのシート本体２に連続して繋がって設けられる複数の返信物領域としての封筒領域３Ａ，３Ｂとによって、主に構成される。また、シート本体２には、複数の申込書領域２１Ａ，２１Ｂと、残置領域２２とが設けられる。
【００１６】
封筒付きチラシ１は、図２，３の展開図に示すように、例えば略長方形のシート状の上質紙などの紙に形成される。例えば、帯状の長方形の紙の左端に、残置領域２２が略長方形に形成される。そして、ミシン目などの切取り線１１を挟んだ右側に、２つの申込書領域２１Ａ，２１Ｂがそれぞれ略長方形に形成される。
【００１７】
この申込書領域２１Ａ，２１Ｂ間にも、ミシン目などの切取り線１１が設けられる。さらに、申込書領域２１Ｂの右側には、ミシン目などの切取り線１２を挟んで、封筒領域３Ａ，３Ｂが縦に並んで設けられる。
【００１８】
封筒領域３Ａ，３Ｂは、図２では山折り、図３では谷折りとなる折目１６で２つ折りにすることで封筒３０（図１，図４参照）が形成される領域である。図２には、封筒領域３Ａ，３Ｂの外面となる表面３１と裏面３２が図示され、表面３１が宛名面となる。
【００１９】
一方、図３は、封筒領域３Ａ，３Ｂの内面３４Ａ，３４Ｂ側を図示している。内面３４Ａ，３４Ｂ側には、略長方形の封筒３０の長辺側となる封筒領域３Ａ，３Ｂの縁部に、それぞれ接着層４１Ａ，４１Ｂ，４２Ａ，４２Ｂ，４３Ａ，４３Ｂが設けられる。これらの接着層４１Ａ，４１Ｂ，４２Ａ，４２Ｂ，４３Ａ，４３Ｂは、接着剤（接着糊）を塗布することによって形成される。この接着剤には、接着力の強い材料が使用され、接着後に剥離させることはない。
【００２０】
接着層４１Ａ，４１Ｂは、封筒３０の長辺側の縁部となる箇所と切端領域１４とに跨って形成される。切端領域１４と封筒領域３Ｂとの境界には、ミシン目などの切取り線１３が設けられる。
【００２１】
また、接着層４２Ａ，４２Ｂは、封筒領域３Ａ，３Ｂ間に跨って形成される。封筒領域３Ａ，３Ｂ間の境界には、ミシン目などの切取り線１３が設けられる。さらに、接着層４３Ａ，４３Ｂは、封筒領域３Ａの長辺側の他方の縁部に沿って設けられる。なお、封筒３０の底部は、折目１６によって塞がれるため、接着層を設ける必要がない。
【００２２】
帯状の紙の右端に設けられる封筒領域３Ａ，３Ｂの裏面３２（内面３４Ｂ）となる幅は、表面３１（内面３４Ａ）となる幅よりも短く形成されている。すなわち図２に示したように、展開された封筒領域３Ａ，３Ｂを折目１６で折り曲げると、紙の右端の側縁１５が切取り線１２より封筒領域３Ａ，３Ｂの内側に位置することになる（２点鎖線参照）。この側縁１５と切取り線１２との間が、封筒３０の蓋部３３となる。
【００２３】
上述した切取り線１１，１２，１３は、ダイカッタなどによってミシン目状に等間隔で切り込みを入れることによって形成される。なお、切取り線１１，１２，１３は、ミシン目にすることもできるが、点状にアンカット部が残されるように切り込み（カット部）を入れることによっても形成することができる。
【００２４】
シート本体２及び封筒領域３Ａ，３Ｂが設けられる紙は、長方形に形成された１枚の紙片であって、両面に図や文字情報などの印刷が施される。例えば残置領域２２には、申込書領域２１Ａ，２１Ｂの記入方法、封筒領域３Ａ，３Ｂの利用方法、広告などの情報や図などを印刷しておくことができる。
【００２５】
また、封筒領域３Ａ，３Ｂの表面３１及び裏面３２には、封筒３０の返信者の負担を減らすことが可能となるように、宛先などの必要事項を予め印刷しておくことができる。さらに、封筒領域３Ａ，３Ｂの内面３４Ａ，３４Ｂには、薄い紙を使用していても内部が透けて見えないように、ランダムの文字などの印刷を一面に施しておくことができる。
【００２６】
また、申込書領域２１Ａ，２１Ｂにも、封筒３０に封入される申込書２１０（図１，図５参照）に、返信者の負担を減らすことが可能となるような必要事項を予め印刷しておくことができる。
【００２７】
次に、本実施の形態の封筒付きチラシ１の製作方法及び使用方法について説明する。
まず、ロール紙から紙を引き出し、両面印刷機によって紙の両面に印刷を行う。すなわち紙に対して、封筒領域３Ａ，３Ｂの表面３１、裏面３２及び内面３４Ａ，３４Ｂ、並びに申込書領域２１Ａ，２１Ｂ及び残置領域２２に必要な印刷のすべてをこの工程で行う。
【００２８】
印刷後に、図３に示すように、封筒領域３Ａ，３Ｂ及び切端領域１４の必要な箇所に接着剤を塗布することで、接着層４１Ａ，４１Ｂ，４２Ａ，４２Ｂ，４３Ａ，４３Ｂを設ける。続いて、切取り線１１−１３とする位置に、それぞれダイカッタで設定された箇所に切り込みを入れる。
【００２９】
さらに、右端の側縁１５近傍の折目１６で折り曲げることで、封筒領域３Ａ，３Ｂが２つの封筒３０，３０に形成される（図１参照）。そして、切取り線１１，１１，１２で適宜、山折り又は谷折りに折り曲げられた状態で、新聞の折込み広告などのリーフレット（チラシ）として利用者に配布される。
【００３０】
この封筒付きチラシ１を受け取った利用者は、折り畳まれた封筒付きチラシ１を開いて、残置領域２２に印刷された文字や図などの情報に関心を持った人は、申込書２１０を送ろうと考える。そして、封筒３０を使って返信しようとする利用者は、封筒付きチラシ１から図４に示すように封筒３０を取り外す。
【００３１】
さらに、封筒付きチラシ１から申込書領域２１Ａの申込書２１０を取り外し、申込書２１０に必要事項を記入して、図５に示すように、封筒３０の大きさに合わせて折り畳む。そして、折り畳まれた申込書２１０を封筒３０に入れ、蓋部３３を閉じて裏面３２に貼り合わせる。
【００３２】
このような封筒付きチラシ１において、申込書２１０の封筒３０による返信は、通常、１通分あれば足りる。しかしながらこの申込内容を気に入った利用者が、家族や友人などに知らせて、同様に申し込みたい場合がある。そのようなときに、再度、申込書を入手するのは手間がかかり、知人への紹介を断念してしまうおそれがある。
【００３３】
このようなときに本実施の形態の封筒付きチラシ１には、２組の申込書２１０，２１０と封筒３０，３０とが備わっているため、利用者の分と同じように、残った申込書領域２１Ｂと封筒領域３Ｂとを使用して、知人の分の申し込みを簡単に行うことができる。
【００３４】
次に、本実施の形態の封筒付きチラシ１の作用について説明する。
このように構成された本実施の形態の封筒付きチラシ１は、シート本体２からの取り外しが可能な封筒領域３Ａ，３Ｂが、シート本体２に繋がって複数、設けられている。このため、同じ申し込みを知人などと一緒に行いたい場合でも、１枚の封筒付きチラシ１によって、利用者と知人の両方の申し込みの返信を、それぞれ行うことができる。
【００３５】
また、封筒付きチラシ１が、異なる内容となる複数種類の申し込みを行うものであって、申込書２１０，２１０毎に封筒３０，３０に封入して返信しなければならない場合や、複数の宛先がある場合なども、１枚の封筒付きチラシ１を確保しておくだけで、複数の返信を行うことができる。
【００３６】
このように複数の封筒領域３Ａ，３Ｂを設けておくことで、１枚の封筒付きチラシ１によって複数の返信が得られるようになるので、封筒３０の返信率を向上させることができるようになる。
【実施例１】
【００３７】
以下、前記した実施の形態とは別の形態の実施例１について、図６を参照しながら説明する。なお、前記実施の形態で説明した内容と同一乃至均等な部分の説明については、同一符号又は同一用語を使って説明する。
【００３８】
本実施例１で説明する返信物付き印刷物としての封筒付きチラシ１Ａには、３通の封筒３５０，３５０，３５０が設けられる。すなわち封筒付きチラシ１Ａは、シート本体２Ａと、そのシート本体２Ａに連続して繋がって設けられる複数の返信物領域としての封筒領域３５Ａ，３５Ｂ，３５Ｃとによって、主に構成される。
【００３９】
このシート本体２Ａには、複数の申込書領域２５Ａ，２５Ｂ，２５Ｃが設けられる。すなわちシート本体２Ａのすべてが、３通の申込書領域２５Ａ，２５Ｂ，２５Ｃとなる。そして、これらの申込書領域２５Ａ，２５Ｂ，２５Ｃの３通の申込書２５０，２５０，２５０は、それぞれ３通の封筒３５０，３５０，３５０に封入して返信することができる。
【００４０】
このように返信物付き印刷物は、上記実施の形態で説明した２通の封筒領域３Ａ，３Ｂが設けられた封筒付きチラシ１に限定されず、３通の封筒領域３５Ａ，３５Ｂ，３５Ｃが設けられた封筒付きチラシ１Ａなど、３通以上の封筒領域がシート本体に繋がって設けられる構成にすることができる。
なお、他の構成及び作用効果については、前記実施の形態又は他の実施例と略同様であるので説明を省略する。
【実施例２】
【００４１】
以下、前記した実施の形態及び実施例１とは別の形態の実施例２について、図７を参照しながら説明する。なお、前記実施の形態又は他の実施例で説明した内容と同一乃至均等な部分の説明については、同一符号又は同一用語を使って説明する。
【００４２】
本実施例２で説明する返信物付き印刷物としてのはがき付きチラシ５は、返信物がはがき５２０である点で、返信物が封筒３０，３５０である前記実施の形態及び実施例１の封筒付きチラシ１，１Ａとは異なっている。
【００４３】
本実施例２のはがき付きチラシ５は、シート本体５１と、そのシート本体５１に連続して繋がって設けられる複数の返信物領域としてのはがき領域５２Ａ，５２Ｂとによって、主に構成される。また、シート本体５１には、残置領域５３が設けられる。
【００４４】
はがき付きチラシ５は、例えば略長方形のシート状の上質紙などの紙に形成される。例えば、帯状の長方形の紙の左右の両端に、はがき領域５２Ａ，５２Ｂが形成される。このはがき領域５２Ａ，５２Ｂは、上述した封筒領域３Ａ，３Ｂのように２つ折りにして紙を重ねた２層構造であっても、１層構造であってもよい。
【００４５】
略長方形の帯状の紙は、例えば略長方形の４つの領域に折目５５，・・・によって区切られる。そして、左右の両端の領域には、はがき領域５２Ａ，５２Ｂと切端領域５６，５６とがそれぞれ設けられる。
【００４６】
はがき領域５２Ａ，５２Ｂと切端領域５６，５６とは、ミシン目などの切取り線５４によって区切られる。切端領域５６及び残置領域５３には、はがき領域５２Ａ，５２Ｂの利用方法、申込内容や広告などの情報や図などが印刷される。
【００４７】
このようなはがき付きチラシ５は、折目５５，５５，５５で適宜、山折り又は谷折りに折り曲げられた状態で、新聞の折込み広告などのリーフレット（チラシ）として利用者に配布される。
【００４８】
そして、このはがき付きチラシ５を受け取った利用者は、折り畳まれたはがき付きチラシ５を開いて、残置領域５３や切端領域５６に印刷された文字や図などの情報に関心を持った人は、はがき５２０を送ろうと考える。
【００４９】
はがき５２０を返信しようとする利用者は、はがき付きチラシ５からはがき領域５２Ａのはがき５２０を取り外し、必要事項を記入して、はがき５２０を返信する。通常、返信用のはがき５２０は、１通分あれば足りるが、家族や友人などに知らせて、同様に申し込みたい場合がある。
【００５０】
そのようなときに、再度、申込用のはがき５２０を入手するのは手間がかかり、知人への紹介を断念してしまうおそれがあるが、はがき付きチラシ５に２組のはがき５２０，５２０が備わっていれば、利用者の分と同じように、残ったはがき領域５２Ｂを使用して、知人の分の申し込みを簡単に行うことができる。
【００５１】
このように複数のはがき領域５２Ａ，５２Ｂを設けておくことで、１枚のはがき付きチラシ５によって複数の返信が得られるようになるので、はがき５２０の返信率を向上させることができるようになる。
なお、他の構成及び作用効果については、前記実施の形態又は他の実施例と略同様であるので説明を省略する。
【実施例３】
【００５２】
以下、前記した実施の形態及び実施例とは別の形態の実施例３について、図８，図９を参照しながら説明する。なお、前記実施の形態又は他の実施例で説明した内容と同一乃至均等な部分の説明については、同一符号又は同一用語を使って説明する。
【００５３】
本実施例３で説明する返信物付き印刷物としての封筒付きチラシ６は、返信物となる封筒６２０，６２０が横に並んで設けられる点で、封筒３０，３５０が縦に並んで設けられる前記実施の形態及び実施例１の封筒付きチラシ１，１Ａとは異なっている。
【００５４】
本実施例３の封筒付きチラシ６は、図９に示すように、シート本体６１と、そのシート本体６１に連続して繋がって設けられる複数の返信物領域としての封筒領域６２Ａ，６２Ｂとによって、主に構成される。また、シート本体６１には、複数の申込書領域６１１Ａ，６１１Ｂと、残置領域６１２とが設けられる。
【００５５】
封筒付きチラシ６は、図８の展開図に示すように、例えば略長方形のシート状の上質紙などの紙に形成される。例えば、帯状の長方形の紙の左端に、残置領域６１２が略長方形に形成される。そして、ミシン目などの切取り線６４Ａを挟んだ右側に、２つの申込書領域６１１Ａ，６１１Ｂがそれぞれ略長方形に形成される。
【００５６】
さらに、申込書領域６１１Ｂの右側には、ミシン目などの切取り線６４Ｂを挟んで、封筒領域６２Ａ，６２Ｂが横に並んで設けられる。封筒領域６２Ａ，６２Ｂは、谷折りとなる折目６５で２つ折りにすることで封筒６２０，６２０が形成される領域である。
【００５７】
この封筒領域６２Ａ，６２Ｂの縁部には、それぞれ接着層６３Ａ，６３Ｂが設けられる。また、封筒領域６２Ａ，６２Ｂの上方の切端領域６６にも接着層６３Ｃが設けられる。なお、封筒領域６２Ｂの底部は、折目６５によって塞がれるため、接着層を設ける必要がない。これらの接着層６３Ａ−６３Ｃは、接着剤（接着糊）を塗布することによって形成される。この接着剤には、接着力の強い材料が使用され、接着後に剥離させることはない。
【００５８】
切端領域６６と封筒領域６２Ａ，６２Ｂとの境界には、ミシン目などの切取り線６４Ｃが設けられる。展開された封筒領域６２Ａ，６２Ｂを折目６５で折り曲げると、紙の右端の側縁６１３が切取り線６４Ｂと重なって、縦向きの封筒６２０，６２０が横に２つ並んだ封筒付きチラシ６が製作される。この縦向きの封筒６２０には、例えば切取り線６４Ｂ（側縁６１３）側に蓋部６２１が設けられる。
【００５９】
図９に示した封筒付きチラシ６は、側縁６１３の位置で山折りされるとともに、切取り線６４Ａ，６４Ａで谷折りに折り曲げられた状態で、新聞の折込み広告などのリーフレット（チラシ）として利用者に配布される。
【００６０】
このように複数の封筒６２０，６２０が横に並ぶ封筒付きチラシ６であっても、接着層６３Ａ−６３Ｃを設けた後で、１箇所の折目６５を谷折りに折り曲げるだけで、容易に製作することができる。
なお、他の構成及び作用効果については、前記実施の形態又は他の実施例と略同様であるので説明を省略する。
【実施例４】
【００６１】
以下、前記した実施の形態及び実施例とは別の形態の実施例４について、図１０，図１１を参照しながら説明する。なお、前記実施の形態又は他の実施例で説明した内容と同一乃至均等な部分の説明については、同一符号又は同一用語を使って説明する。
【００６２】
本実施例４で説明する返信物付き印刷物としての封筒付きチラシ７は、返信物となる封筒７２０，７２０が、複数のページを形成するシート本体７１Ａ，７１Ｂのそれぞれに設けられる。すなわち、本実施例４の封筒付きチラシ７は、図１０に示すように、複数のシート本体７１Ａ，７１Ｂと、それらのシート本体７１Ａ，７１Ｂにそれぞれ連続して繋がって設けられる返信物領域としての封筒領域７２Ａ，７２Ｂとによって、主に構成される。
【００６３】
外側に配置されるシート本体７１Ａと、その中に綴じ込まれるシート本体７１Ｂとは、接合線７６の位置で接着層７３Ｂを介して一体化される。封筒領域７２Ａ，７２Ｂは、シート本体７１Ａ，７１Ｂの右端を谷折りとなる折目７５Ａ，７５Ｂで２つ折りにすることで封筒７２０，７２０が形成される領域である。
【００６４】
この封筒領域７２Ａ，７２Ｂの縁部には、それぞれ接着層７３Ａが設けられる。封筒領域７２Ａ，７２Ｂの底部は、折目７５Ａ，７５Ｂによって塞がれるため、接着層を設ける必要がない。また、必要に応じて、封筒領域７２Ａ，７２Ｂ以外のシート本体７１Ａ，７１Ｂの領域に、申込書領域などが設けられる。
【００６５】
一方、図１１で説明する別の形態の封筒付きチラシ７Ａは、複数のシート本体７１Ｃ，７１Ｄと、それらのシート本体７１Ｃ，７１Ｄにそれぞれ連続して繋がって設けられる返信物領域としての封筒領域７２Ｃ，７２Ｄとによって、主に構成される。
【００６６】
図１１（ａ）は、外側に配置されるシート本体７１Ｃの構成を示し、図１１（ｂ）は、内側に配置されるシート本体７１Ｄの構成を示している。これらのシート本体７１Ｃ，７１Ｄは、シート本体７１Ｃの左端の接着層７３Ｅの上にシート本体７１Ｄの左端（側縁７１１）を重ねて接合させることで一体化される。
【００６７】
また、封筒領域７２Ｃ，７２Ｄは、シート本体７１Ｃ，７１Ｄの右端を谷折りとなる折目７５Ｃ，７５Ｄで２つ折りにすることで封筒７２０，７２０が形成される領域である。この封筒領域７２Ｃ，７２Ｄの縁部には、それぞれ接着層７３Ｃ，７３Ｄが設けられる。封筒領域７２Ｃ，７２Ｄの底部は、折目７５Ｃ，７５Ｄによって塞がれるため、接着層を設ける必要がない。
【００６８】
このようにして製作された封筒付きチラシ７（７Ａ）は、接合線７６（切取り線７４Ｃ，７４Ｄと折目７５Ｅ）で谷折りに折り曲げられた状態で、新聞の折込み広告などのリーフレット（チラシ）として利用者に配布される。
【００６９】
このように複数のシート本体７１Ａ，７１Ｂ（７１Ｃ，７１Ｄ）を綴じ合わせるように接合させる場合であっても、それぞれのページに封筒領域７２Ａ，７２Ｂ（７２Ｃ，７２Ｄ）が設けられた封筒付きチラシ７（７Ａ）にすることができる。
なお、他の構成及び作用効果については、前記実施の形態又は他の実施例と略同様であるので説明を省略する。
【実施例５】
【００７０】
以下、前記した実施の形態及び実施例とは別の形態の実施例５について、図１２，図１３を参照しながら説明する。なお、前記実施の形態又は他の実施例で説明した内容と同一乃至均等な部分の説明については、同一符号又は同一用語を使って説明する。
【００７１】
本実施例５で説明する返信物付き印刷物としての封筒付きチラシ８は、返信物となる封筒８２０，８２０が中央に縦に並んで設けられる点で、封筒が端部に設けられる前記実施の形態及び他の実施例とは異なっている。
【００７２】
本実施例５の封筒付きチラシ８は、図１３に示すように、シート本体８１と、そのシート本体８１の中央に連続して繋がって設けられる複数の返信物領域としての封筒領域８２Ａ，８２Ｂとによって、主に構成される。
【００７３】
封筒付きチラシ８は、図１２の展開図に示すように、例えば略長方形のシート状の上質紙などの紙に形成される。例えば、帯状の長方形の紙の中間部に、ミシン目などの切取り線８４Ａ，８４Ａが対になって平行に設けられ、その切取り線８４Ａ，８４Ａ間が封筒領域８２Ａ，８２Ｂとなる。
【００７４】
封筒８２０，８２０の表面８２１Ａ，８２１Ｂとなる部分は、シート本体８１の右端から切り取られる。すなわち、除去部８６と表面８２１Ａ，８２１Ｂとは、シート本体８１から切り離される。切り離される表面８２１Ａ，８２１Ｂは、後述するように封筒８２０，８２０の１層に形成される領域である。
【００７５】
この封筒領域８２Ａ，８２Ｂの縁部には、それぞれ接着層８３Ａ，８３Ｂが設けられる。これらの接着層８３Ａ，８３Ｂは、接着剤（接着糊）を塗布することによって形成される。この接着剤には、接着力の強い材料が使用され、接着後に剥離させることはない。一方、除去部８６の左側には、接着層８３Ｃが設けられる。この接着層８３Ｃは、貼り付け後に簡単に剥離することが可能な剥離糊によって形成される。
【００７６】
封筒領域８２Ａ，８２Ｂ間には、ミシン目などの切取り線８４Ｂが設けられる。切り離された表面８２１Ａ，８２１Ｂを、図１３に示すように、側縁８１１Ａが右側の切取り線８４Ａの上に重ねられるように配置することで、中央に封筒８２０，８２０が縦に並んだ封筒付きチラシ８が製作される。この縦向きの封筒８２０には、例えば側縁８１１Ａ側に蓋部８２２が設けられる。また、必要に応じて、封筒領域８２Ａ，８２Ｂ以外のシート本体８１の領域に、申込書領域などが設けられる。
【００７７】
このようにして製作された封筒付きチラシ８は、折目８５の位置で谷折りされるとともに、側縁８１１Ｂ周辺が接着層８３Ｃに貼り付けられた状態で、新聞の折込み広告などのリーフレット（チラシ）として利用者に配布される。
【００７８】
このように中間部に複数の封筒８２０，８２０が縦に並ぶ封筒付きチラシ８であっても、１枚のシート本体８１用の紙片から容易に製作することができる。
なお、他の構成及び作用効果については、前記実施の形態又は他の実施例と略同様であるので説明を省略する。
【実施例６】
【００７９】
以下、前記した実施の形態及び実施例とは別の形態の実施例６について、図１４，図１５を参照しながら説明する。なお、前記実施の形態又は他の実施例で説明した内容と同一乃至均等な部分の説明については、同一符号又は同一用語を使って説明する。
【００８０】
本実施例６で説明する返信物付き印刷物としての封筒付きチラシ９は、返信物となる封筒９２０が横に３つ並んで設けられる点で、封筒３５０が縦に３つ並んで設けられる前記実施例１の封筒付きチラシ１Ａとは異なっている。
【００８１】
本実施例６の封筒付きチラシ９は、図１５に示すように、シート本体９１と、そのシート本体９１に連続して繋がって設けられる複数の返信物領域としての封筒領域９２Ａ，９２Ｂ，９２Ｃとによって、主に構成される。
【００８２】
封筒付きチラシ９は、図１４の展開図に示すように、例えば略長方形のシート状の上質紙などの紙に形成される。シート本体９１の右側には、ミシン目などの切取り線９４Ａを挟んで、封筒領域９２Ａ，９２Ｂ，９２Ｃ及びその裏面９２１Ａ，９２１Ｂ，９２１Ｃとなる領域が横に並んで設けられる。封筒領域９２Ａ，９２Ｂ，９２Ｃは、谷折りとなる折目９５で２つ折りにすることで封筒９２０，９２０，９２０が形成される領域である。
【００８３】
この封筒領域９２Ａ，９２Ｂ，９２Ｃの縁部には、それぞれ接着層９３Ａ，９３Ｂ，９３Ｃが設けられる。また、封筒領域９２Ａ−９２Ｃの上方の切端領域９６にも、必要に応じて接着層が設けられる。また、必要に応じて、封筒領域９２Ａ−９２Ｃ以外のシート本体９１の領域に、申込書領域などが設けられる。
【００８４】
切端領域９６と封筒領域９２Ａ−９２Ｃとの境界には、ミシン目などの切取り線９４Ｂが設けられる。展開された封筒領域９２Ａ−９２Ｃを折目９５で折り曲げると、紙の右端の側縁９１１が左端の切取り線９４Ａと重なって、縦向きの封筒９２０，９２０，９２０が横に３つ並んだ封筒付きチラシ９が製作される。この縦向きの封筒９２０には、例えば切取り線９４Ｂ側に蓋部９２２が設けられる。
【００８５】
図１５に示した封筒付きチラシ９は、側縁９１１の位置で谷折りに折り曲げられた状態で、新聞の折込み広告などのリーフレット（チラシ）として利用者に配布される。
このように３つ以上の封筒９２０，・・・が横に並ぶ封筒付きチラシ９であっても、接着層９３Ａ−９３Ｃを設けた後で、１箇所の折目９５を谷折りに折り曲げるだけで、容易に製作することができる。
なお、他の構成及び作用効果については、前記実施の形態又は他の実施例と略同様であるので説明を省略する。
【００８６】
以上、図面を参照して、本発明の実施の形態を詳述してきたが、具体的な構成は、この実施の形態及び実施例に限らず、本発明の要旨を逸脱しない程度の設計的変更は、本発明に含まれる。
【００８７】
例えば、前記実施の形態及び実施例では、新聞の折込み広告として封筒付きチラシ１，１Ａ，６，７，７Ａ，８，９及びはがき付きチラシ５を使用する場合について説明したが、これに限定されるものではない。例えば住戸の郵便受けに投函されるリーフレット（チラシ）、街頭や店頭で配布されるリーフレット（チラシ）、又は雑誌や本の綴込みなどに本発明の返信物付き印刷物を使用することができる。
【００８８】
また、前記実施の形態及び実施例では、ミシン目や点状のアンカット部及びカット部によって形成される切取り線１１−１３，５４，６４Ａ−６４Ｃ，７４Ａ−７４Ｄ，８４Ａ，８４Ｂ，９４Ａ，９４Ｂがある場合について説明したが、これに限定されるものではなく、切り離す箇所に破線などが印刷されただけの切り離し部であってもよい。
【００８９】
さらに、前記実施の形態及び実施例１，３−６の返信物を封筒３０，３５０，６２０，７２０，８２０，９２０としたが、これに限定されるものではなく、封筒付きチラシ１，１Ａ，６，７，７Ａ，８，９と同様の形態で、はがきが返信物であってもよい。また、これとは逆に、実施例２の返信物をはがき５２０としたが、これに限定されるものではなく、はがき付きチラシ５と同様の形態で、封筒が返信物であってもよい。
【符号の説明】
【００９０】
１，１Ａ    ：封筒付きチラシ（返信物付き印刷物）
２，２Ａ    ：シート本体
２１Ａ，２１Ｂ：申込書領域
２５Ａ−２５Ｃ：申込書領域
３０        ：封筒
３Ａ，３Ｂ  ：封筒領域（返信物領域）
３５０      ：封筒
３５Ａ−３５Ｃ：封筒領域（返信物領域）
５          ：はがき付きチラシ（返信物付き印刷物）
５１        ：シート本体
５２Ａ，５２Ｂ：はがき領域（返信物領域）
６          ：封筒付きチラシ（返信物付き印刷物）
６１        ：シート本体
６２Ａ，６２Ｂ：封筒領域（返信物領域）
７，７Ａ      ：封筒付きチラシ（返信物付き印刷物）
７１Ａ−７１Ｄ：シート本体
７２Ａ−７２Ｄ：封筒領域（返信物領域）
８          ：封筒付きチラシ（返信物付き印刷物）
８１        ：シート本体
８２Ａ，８２Ｂ：封筒領域（返信物領域）
９          ：封筒付きチラシ（返信物付き印刷物）
９１        ：シート本体
９２Ａ−９２Ｃ：封筒領域（返信物領域）
【図１】
2020049927.tif 000003
【図２】
2020049927.tif 000004
【図３】
2020049927.tif 000005
【図４】
2020049927.tif 000006
【図５】
2020049927.tif 000007
【図６】
2020049927.tif 000008
【図７】
2020049927.tif 000009
【図８】
2020049927.tif 000010
【図９】
2020049927.tif 000011
【図１０】
2020049927.tif 000012
【図１１】
2020049927.tif 000013
【図１２】
2020049927.tif 000014
【図１３】
2020049927.tif 000015
【図１４】
2020049927.tif 000016
【図１５】
2020049927.tif 000017
【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
シート本体からの取り外しが可能な返信物領域を有する返信物付き印刷物であって、
前記返信物領域は、前記シート本体に繋がって複数、設けられる封筒が形成される封筒領域であるとともに、前記シート本体には、前記封筒領域に封入する申込書領域が前記封筒領域と同じ数だけ設けられており、
複数の前記封筒領域は、前記シート本体の片側に並んで設けられるとともに、前記封筒領域の各辺は、切取り線、側縁及び折目のいずれかに接していて、蓋部が設けられる辺以外の前記切取り線及び側縁に接する縁部には接着層が設けられていることを特徴とする返信物付き印刷物。
【請求項２】
シート本体からの取り外しが可能な返信物領域を有する返信物付き印刷物であって、
前記返信物領域は、前記シート本体に繋がって複数、設けられる封筒が形成される封筒領域であるとともに、前記シート本体には、前記封筒領域に封入する申込書領域が前記封筒領域と同じ数だけ設けられており、
複数の前記封筒領域は、複数のページを形成する前記シート本体のそれぞれの端部に封筒が形成されるとともに、前記封筒に隣接して前記申込書領域が設けられることを特徴とする返信物付き印刷物。
【請求項３】
シート本体からの取り外しが可能な返信物領域を有する返信物付き印刷物であって、
前記返信物領域は、前記シート本体に繋がって複数、設けられる封筒が形成される封筒領域であるとともに、前記シート本体には、前記封筒領域に封入する申込書領域が前記封筒領域と同じ数だけ設けられており、
複数の前記封筒領域は、前記シート本体の中間部に縦に並ぶように設けられるとともに、前記封筒領域の各辺は、切取り線又は側縁に接していて、蓋部が設けられる辺以外の前記切取り線及び側縁に接する縁部には接着層が設けられていることを特徴とする返信物付き印刷物。